(57)【要約】【課題】ディスクをがたつかないようにしっかりと保持できるようにする。【解決手段】底面板１の両側にそれぞれ保持部２を連設し、各保持部２には、側面板５、頂面板６、内側板７及び底着片８を基端側から先端側へ順次設け、内側板７に谷折線９を入れ、保持部２を巻き込むように折り曲げ、底着片８を底面板１に固定すると共に、内側板７を谷折線９沿いに折り曲げて窪みを形成し、対向する内側板７の窪みの間に挟み込んだディスクＤを、記録面が底面板１に接触しないように浮かして保持するディスク収納ケースにおいて、前記谷折線９を湾曲させ、対向する内側板７の窪み同士の間隔が、谷折線９の中間部では、ディスクＤの直径に対応し、谷折線９の両端部へかけてディスクＤの直径より小さくなるようにする。【選択図】図２
2010076831.tif 000002
【特許請求の範囲】
【請求項１】
底面板(1)の両側にそれぞれ保持部(2)を連設し、各保持部(2)には、側面板(5)、頂面板(6)、内側板(7)及び底着片(8)を基端側から先端側へ順次設け、内側板(7)に谷折線(9)を入れ、保持部(2)を巻き込むように折り曲げ、底着片(8)を底面板(1)に固定すると共に、内側板(7)を谷折線(9)沿いに折り曲げて窪みを形成し、対向する内側板(7)の窪みの間に挟み込んだディスクを、記録面が底面板(1)に接触しないように浮かして保持するディスク収納ケースにおいて、前記谷折線(9)を湾曲させ、対向する内側板(7)の窪み同士の間隔が、谷折線(9)の中間部では、ディスクの直径に対応し、谷折線(9)の両端部へかけてディスクの直径より小さくなるようにしたことを特徴とするディスク収納ケース。
【発明の詳細な説明】
【技術分野】
【０００１】
この発明は、ＣＤ、ＤＶＤ等の円板状記録媒体（以下ディスクという）を収納するケースに関するものである。
【背景技術】
【０００２】
電子データを記録するＣＤ、ＤＶＤ等のディスクは、記録面に傷が付くと、データの読み取りに支障が生じるおそれがある。このため、一般に、ディスクの流通や受け渡しに際しては、本体とカバーとから成るプラスチックケースを使用し、本体の底面板から突出した台座付き凸部を、ディスクの中央部の穴に嵌め込み、ディスクを記録面が底面板に接触しないように浮かした状態で固定する。
【０００３】
また、下記特許文献１には、板紙製のディスク収納ケースとして、図８に示すように、底面板５１の両側にそれぞれ保持部５２を連設し、各保持部５２に底面板５１側から側面板５３、頂面板５４、内側板５５及び底着片５６を順次設け、内側板５５に幅方向に延びる直線の谷折線５７を入れ、カバー５８を設けたものが記載されている。
【０００４】
このディスク収納ケースでは、保持部５２を巻き込むように折り曲げ、底着片５６を底面板５１に貼り付け、内側板５５を谷折線５７沿いに折り曲げて窪みを形成し、対向する内側板５５の窪み間にディスクＤを挟み込み、ディスクＤを記録面が底面板５１に接触しないように浮かした状態で保持し、ディスクＤにカバー５８を被せる。
【０００５】
【特許文献１】特開平１１−３２１９６２号公報（図１６）
【発明の開示】
【発明が解決しようとする課題】
【０００６】
しかしながら、上記のような板紙製のディスク収納ケースでは、持ち運びに際し、振動や衝撃が作用すると、収納したディスクＤが谷折線５７の延びる方向に移動して、がたつくことがあった。
【０００７】
そこで、この発明は、板紙製のディスク収納ケースにおいて、ディスクをがたつかないようにしっかりと保持できるようにすることを課題とする。
【課題を解決するための手段】
【０００８】
上記のような課題を解決するため、この発明は、底面板の両側にそれぞれ保持部を連設し、各保持部には、側面板、頂面板、内側板及び底着片を基端側から先端側へ順次設け、内側板に谷折線を入れ、保持部を巻き込むように折り曲げ、底着片を底面板に固定すると共に、内側板を谷折線沿いに折り曲げて窪みを形成し、対向する内側板の窪みの間に挟み込んだディスクを、記録面が底面板に接触しないように浮かして保持するディスク収納ケースにおいて、前記谷折線を湾曲させ、対向する内側板の窪み同士の間隔が、谷折線の中間部では、ディスクの直径に対応し、谷折線の両端部へかけてディスクの直径より小さくなるようにしたのである。
【発明の効果】
【０００９】
この発明に係るディスク収納ケースでは、ディスクを谷折線の中間部で窪みに嵌めて、対向する内側板間に挟み込むと、持ち運びに際し、谷折線の延びる方向へのディスクの移動が阻止され、ディスクが保持部により弾力的に保持されて、振動や衝撃が作用しても、ディスクのがたつきが防止される。
【発明を実施するための最良の形態】
【００１０】
まず、この発明の第１実施形態を図１乃至図５に基づいて説明する。
【００１１】
このディスク収納ケースは、図１に示すような板紙製のブランクから形成される。このブランクでは、長方形の底面板１の周囲各辺のうち、一対の短辺にそれぞれ保持部２が連設され、一対の長辺に端面板３を介してカバー４がそれぞれ連設されている。
【００１２】
各保持部２には、側面板５、頂面板６、内側板７及び底着片８が基端側から先端側へ順次設けられ、内側板７には、谷折線９が入れられている。頂面板６の両端には端閉片１０が連設されている。一方のカバー４の基端側には係止穴１１が設けられ、他方のカバー４の先端側には、弧状のスリットを入れて係止片１２が形成されている。
【００１３】
谷折線９は、両端部が頂面板６との境界側に位置し、中間部が底着片８側へ変位するように湾曲している。
【００１４】
内側板７と底着片８との境界は、押罫のみが入れられた他の各部同士の境界と異なり、折曲抵抗を減少させるため、押罫に断続する切目を入れたリード罫とされている。
【００１５】
上記のようなブランクを組み立てるには、図２に示すように、底面板１から保持部２の側面板５、頂面板６及び内側板７を巻き込むように折り曲げ、底着片８を内側へ折り曲げて底面板１に貼り付け、内側板７を谷折線９沿いに折り曲げて窪みを形成し、端閉片１０を下方へ折り曲げて、保持部２の両端面を閉止する。
【００１６】
そして、このディスク収納ケースを使用する際には、対向する内側板７の上部の間隔を押し広げるように保持部２を変形させて、その窪みの間にディスクＤを挿入し、保持部２を弾性により復元させると、ディスクＤは窪み間に挟み込まれて、記録面が底面板１に接触しないように浮いた状態で保持される。
【００１７】
その後、一対の端面板３を起立させ、図３乃至図５に示すように、一方及び他方のカバー４を順次重なり合うように閉じ、係止穴１１に係止片１２を係合させる。
【００１８】
上記のようにディスクＤを収納した状態において、このディスク収納ケースでは、対向する内側板７の窪み同士の間隔が、谷折線９の中間部では、ディスクＤの直径に対応し、谷折線９の両端部へかけてディスクＤの直径より小さくなっている。
【００１９】
このため、ディスク収納ケースの持ち運びに際し、谷折線９の延びる方向へのディスクＤの移動が阻止され、ディスクＤが保持部２により弾力的に保持されて、振動や衝撃が作用しても、ディスクＤのがたつきが防止される。
【００２０】
次に、この発明の第２実施形態を図６及び図７に基づいて説明する。なお、ここでは、上記第１実施形態と同様の部分についての説明は省略し、第１実施形態と異なる特徴部分について言及する。
【００２１】
このディスク収納ケースでは、図６に示すように、一方の端面板３からカバー４が延出され、カバー４は、端面板３に順次繋がる表面板４ａと裏面板４ｂとを貼り合わせて形成されている。カバー４の先端部には、裏面板４ｂを切り込んでロック片１３が設けられ、ロック片１３は外側へ折り返されている。
【００２２】
また、他方の端面板３の先端には上重板１４ａが、両側には側重板１４ｂがそれぞれ連設され、側重板１４ｂから延びる係止片１５を上重板１４ａの裏面に貼り付けて、上被体１４が形成されている。
【００２３】
そして、このディスク収納ケースにディスクＤを収納して封緘する際、カバー４を閉じた後、上被体１４を閉じると、ロック片１３の両肩部が係止片１５の切欠部分の端縁に係合して、カバー４が閉止状態に保持される。
【００２４】
このようなディスク収納ケースにおいても、ディスクＤを谷折線９の中間部で窪みに嵌めて、対向する内側板７間に挟み込むと、持ち運びに際し、谷折線９の延びる方向へのディスクＤの移動が阻止され、ディスクＤのがたつきが防止される。
【００２５】
なお、対向する内側板７に窪みを形成する谷折線９は、上記第１及び第２実施形態とは逆に、両端部が底着片８との境界側に位置し、中間部が頂面板６側へ変位するように湾曲させても、同様の効果を得ることができる。
【００２６】
また、保持部２の先端側を底面板１に固定する底着片８は、底面板１に必ずしも貼り付ける必要はなく、底着片８に設けた突起を、底面板１又は端面板３の下部に形成したスリットに差し込んで係合させるようにしてもよい。
【００２７】
さらに、上面の開口を覆うカバー４は、底面板１及び保持部２等と必ずしも一体に形成する必要はなく、底面板１及び保持部２等を備えたトレー状の本体と、これに被せる別体のカバーとからディスク収納ケースを構成してもよい。
【図面の簡単な説明】
【００２８】
【図１】この発明の第１実施形態に係るディスク収納ケースのブランクを示す図
【図２】同上のカバー開放状態を示す斜視図
【図３】同上のカバー閉止状態を示す斜視図
【図４】同上の縦断正面図
【図５】同上の横断平面図
【図６】第２実施形態に係るディスク収納ケースのカバー開放状態を示す斜視図
【図７】同上のカバー閉止状態を示す斜視図
【図８】従来のディスク収納ケースの縦断正面図
【符号の説明】
【００２９】
１  底面板
２  保持部
３  端面板
４  カバー
５  側面板
６  頂面板
７  内側板
８  底着片
９  谷折線
１０  端閉片
１１  係止穴
１２  係止片
１３  ロック片
１４  上被体
１４ａ  上重板
１４ｂ  側重板
１５  係止片
Ｄ  ディスク
【図１】
2010076831.tif 000003
【図２】
2010076831.tif 000004
【図３】
2010076831.tif 000005
【図４】
2010076831.tif 000006
【図５】
2010076831.tif 000007
【図６】
2010076831.tif 000008
【図７】
2010076831.tif 000009
【図８】
2010076831.tif 000010